(57)【特許請求の範囲】
【請求項１】
フレキシブルコンテナバッグ(30)を開口させるカッタ部(2)を有する粉体ホッパ(1)の上部開口部に、鋼製枠で構成された外枠部(11)が取着され、フレキシブルコンテナバッグ(30)の下降動作に伴い、中央部がフレキシブルコンテナバッグ(30)の側面部に密着した状態で伸縮して開閉自在なキャンバスシャッタ(10)を備えた粉体ホッパの防塵装置において、
粉体ホッパ(1)の上部開口部に、前記キャンバスシャッタ(10)の外枠部(11)を挿入する取付溝部(3,3a)を設け、該取付溝部(3,3a)に挿入された前記外枠部(11)の離脱を防止するためのキャンバスシャッタ保持部材(4,4a)を着脱自在に設けた
ことを特徴とする粉体ホッパの防塵装置。
【請求項２】
請求項１記載の粉体ホッパの防塵装置において、
前記取付溝部(3)は、上向きである
ことを特徴とする粉体ホッパの防塵装置。
【発明の詳細な説明】
【０００１】
【発明の属する技術分野】
本発明は、フレキシブルコンテナバッグにより粉体の供給を受ける粉体ホッパの防塵装置に関する。
【０００２】
【従来の技術】
可とう性を有する袋状のフレキシブルコンテナバッグから粉体の供給を受ける粉体ホッパの防塵装置については、特公平７−１４７２４号公報に開示されたものがある。
【０００３】
図６は特公平７−１４７２４号公報に開示された粉体ホッパの防塵装置の構成を示す概略図である。粉体ホッパ１の上部にはキャンバスシャッタ１０が取着されている。キャンバスシャッタ１０は、粉体ホッパ１に取着される外枠部１１と、略中央部に開口部１３を形成する弾性を有するゴムリング１４と、外枠部１１とゴムリング１４との間に張設された例えばポリエステル系の樹脂製のシート１５とから成っている。
【０００４】
次に作用について説明する。２点鎖線ａで示すようにフレキシブルコンテナバッグ３０を吊り下げて粉体ホッパ１内に挿入すると、キャンバスシャッタ１０は破線で示すように、そのゴムリング１４部がフレキシブルコンテナバッグ３０の外周側面部に密着した状態で変形する。そしてフレキシブルコンテナバッグ３０が開口され、中の粉体が粉体ホッパ１内に放出されてフレキシブルコンテナバッグ３０が２点鎖線ｂに示すように縮小した場合には、ゴムリング１４はこれに追随して縮小する。その結果、ゴムリング１４はフレキシブルコンテナバッグ３０の外周側面部に密着した状態を維持し、粉体が外部に飛散するのを防止する。
【０００５】
上記の粉体ホッパ１にキャンバスシャッタ１０の外枠部１１を取り付ける方法については、特公平７−１４７２４号公報には特に記載はない。このような場合、一般には図７に示すような方法で取り付けられる。即ち、キャンバスシャッタ１０の外枠部１１は、鋼製枠１２をシート１５で包んで形成され、粉体ホッパ１に所定の間隔でボルト１６で締着される。
【０００６】
【発明が解決しようとする課題】
しかしながら、上記特公平７−１４７２４号公報に記載の従来の構成においては、使用中に図７に示す矢印の方向に引っ張り力が加わると、ボルト１６で締着した部分、特にボルト孔部に集中応力が作用してその部分からシート１５が破損する恐れがある。また、粉体が生石灰の場合には、ぬれると発熱してポリエステル製のシート１５が軟らかくなり、締付けられた部分が粉体ホッパ１に張り付く。その状態でフレキシブルコンテナバッグ３０の出し入れを行うと、張り付いた部分に無理な力が加わり、シート１５が破損する恐れがある。さらに、キャンバスシャッタ１０を交換する場合に、シート１５が粉体ホッパ１に張り付いていて作業がやりにくいという問題もある。
【０００７】
本発明は、上記の問題点に着目してなされたものであり、フレキシブルコンテナバッグにより粉体の供給を受ける粉体ホッパにおいて、破損の恐れが少なく、交換容易な粉体ホッパの防塵装置を提供することを目的としている。
【０００８】
【課題を解決するための手段、作用及び効果】
上記の目的を達成するために、第１発明は、フレキシブルコンテナバッグを開口させるカッタ部を有する粉体ホッパの上部開口部に、鋼製枠で構成された外枠部が取着され、フレキシブルコンテナバッグの下降動作に伴い、中央部がフレキシブルコンテナバッグの側面部に密着した状態で伸縮して開閉自在なキャンバスシャッタを備えた粉体ホッパの防塵装置において、粉体ホッパの上部開口部に、前記キャンバスシャッタの外枠部を挿入する取付溝部を設け、該取付溝部に挿入された前記外枠部の離脱を防止するためのキャンバスシャッタ保持部材を着脱自在に設けた構成としている。
【０００９】
第１発明によると、キャンバスシャッタ取り付け時には、取付溝部にキャンバスシャッタの外枠部を挿入し、キャンバスシャッタ保持部材を取り付けて前記外枠部の離脱を防止する。そのため、キャンバスシャッタの取付部に局部的な力が加わらず、破損の恐れが少ない。又、キャンバスシャッタの外枠部は取付溝部に挿入される構造のため、取付溝部に対してフロート状態であり、キャンバスシャッタの開閉の度に取付溝部内で移動可能であるから、キャンバスシャッタがホッパに癒着することがなく、キャンバスシャッタの耐久性を向上できる。さらに、キャンバスシャッタ保持部材を着脱自在としたため、キャンバスシャッタの交換作業が容易である。
【００１０】
第２発明は、第１発明において、前記取付溝部は、上向きである構成としている。
【００１１】
第２発明によると、取付溝部を上向きにしたため、フレキシブルコンテナバッグを出し入れする都度、取付溝部内の外枠部はキャンバスシャッタ保持部材との隙間を上下に移動する。したがって、キャンバスシャッタがホッパに癒着することを確実に防止でき、キャンバスシャッタの寿命を向上できる。又、キャンバスシャッタの交換作業が非常に容易である。
【００１２】
【発明の実施の形態】
以下に本発明に係る粉体ホッパの防塵装置の実施形態について、図面を参照して詳述する。
【００１３】
図１は粉体ホッパの防塵装置の全体構成を示す概略側面図であり、図２は概略平面図である。図１、図２において、フレキシブルコンテナバッグ３０を開口させるカッタ部２を有する粉体ホッパ１の上端部近傍には、キャンバスシャッタ１０が取着されている。キャンバスシャッタ１０は、粉体ホッパ１に取着される外枠部１１と、外枠部１１の略中央部に開口部１３を形成する、弾性を有するゴムリング１４と、外枠部１１とゴムリング１４との間に張設された例えばポリエステル系の樹脂製のシート１５とから成っている。外枠部１１は粉体ホッパ１の内周面形状に略合った形状をなしており、本実施形態では４角形をなしている。
【００１４】
次に、作用について説明する。２点鎖線で示すようにフレキシブルコンテナ３０を吊り下げてホッパ１内に挿入すると、キャンバスシャッタ１０のゴムリング１４は、破線で示すようにフレキシブルコンテナバッグ３０の外周側面部に密着した状態で変形する。フレキシブルコンテナバッグ３０の下部がカッタ部２によって開口され、中の粉体が放出されてフレキシブルコンテナバッグ３０が縮小した場合には、これに追随してゴムリング１４は縮小してフレキシブルコンテナバッグ３０の外周側面部に密着し、粉体が外部に飛散するのを防止する。
【００１５】
次に、キャンバスシャッタ１０の外枠部１１の粉体ホッパ１への取付部の構成について説明する。図３は図１のＰ部詳細図であり、図４は図２のＱ部詳細図であり、それぞれ第１実施形態の取付部の構成を示している。図３、図４において、キャンバスシャッタ１０の外枠部１１は、鋼製枠１２をシート１５で包んで平面視で４角形に形成されている。平面視が４角形の粉体ホッパ１には、それぞれの辺の略全長に亘って上向きに開口した取付溝部３が設けられており、この取付溝部３内にはキャンバスシャッタ１０の外枠部１１が、周囲に隙間Ａを設けて挿入されている。取付溝部３の前記開口部の上方には挿入された前記外枠部１１の上端部との間に隙間Ｓを設けて、取付溝部３の略全長に亘ってキャンバスシャッタ保持部材４がボルト５によって締着されている。
【００１６】
次に作用、効果について説明する。使用中にキャンバスシャッタ１０に、図３に示す矢印のような引っ張り力が加わった場合、外枠部１１は取付溝部３内に挿入されると共に、上部にキャンバスシャッタ保持部材４が設けられているため抜け出すことはない。このとき、取付溝部３は粉体ホッパ１の各辺の略全長に亘って設けられているため、前記引っ張り力はシート１５に均等に加えられる。そのため破損の恐れは少ない。さらに、外枠部１１は、取付溝部３との間に隙間Ａを、キャンパスシャッタ保持部材４との間に隙間Ｓをそれぞれ有して設けられているため、作業中に粉体ホッパ１と外枠部１１とは相対運動が可能である。そのため、例えば生石灰がぬれて発熱してもシート１５がホッパ１に癒着することは防止される。なお、フレキシブルコンテナバッグ３０（例えば重量１ｔ）は一般に３０分に３回程度、粉体ホッパ１内に投入され、外枠部１１はその都度取付溝部３内で移動するので、シート１５が癒着し難くなる。従って、キャンバスシャッタ１０の耐久性を向上できると共に、交換作業が容易にできる。
【００１７】
図５は、第２実施形態の外枠部１１の粉体ホッパ１への取付部の側面断面図である。第１実施形態のものと同一部材には同一符号を付して説明は省略し、異なる部分についてのみ説明する。
粉体ホッパ１の上部には、内向きに開口した取付溝部３ａが粉体ホッパ１のそれぞれの辺の略全長に亘って設けられており、その上方には、取付溝部３ａ内に挿入された外枠部１１の離脱防止用のキャンバスシャッタ保持部材４ａがボルト５で締着されている。このような構成においても、第１実施形態と同様の作用、効果が得られるのはいうまでもない。
【図面の簡単な説明】
【図１】本発明の粉体ホッパの防塵装置の概略側面図である。
【図２】本発明の粉体ホッパの防塵装置の概略平面図である。
【図３】図１のＰ部詳細図である。
【図４】図２のＱ部詳細図である。
【図５】第２実施形態の防塵装置の取付部の側面断面図である。
【図６】従来の粉体ホッパの防塵装置の概略側面図である。
【図７】従来の防塵装置の取付部の側面断面図である。
【符号の説明】
１…粉体ホッパ、２…カッタ部、３，３ａ…取付溝部、４，４ａ…キャンバスシャッタ保持部材、５…ボルト、１０…キャンバスシャッタ、１１…外枠部、１２…鋼製枠、１３…開口部、１４…ゴムリング、１５…シート、１６…ボルト、３０…フレキシブルコンテナバッグ。
【図１】
0004255627.tif 000002
【図２】
0004255627.tif 000003
【図３】
0004255627.tif 000004
【図４】
0004255627.tif 000005
【図５】
0004255627.tif 000006
【図６】
0004255627.tif 000007
【図７】
0004255627.tif 000008